(57)【要約】【課題】排水に優れ、乾燥に優れ、清掃に優れる排水溝を備えた、清潔で、衛生的な浴室を提供する。【解決手段】排水溝の集水に有効な開口部を広く確保して、外周を長く確保して、容量を大きく確保して、側端から排水口に向けて、下り勾配を設けたので停滞なく排水する。排水溝の上端よりも高い位置に設置する取手付き目かくし板と、上方向に開放してある排水溝との構成により、空気の循環を促進して速やかに乾燥する。目かくし板、屑かご、掻き出し部材、フィルタを全て取手付きとしたので、取り付け取り外し及び着脱が簡単にでき、手軽に楽々と清掃できる。【選択図】図２
2006348737.tif 000002
【特許請求の範囲】
【請求項１】
集水に有効な開口部を広く確保して、外周を長く確保して、容量を大きく確保して、上方向に開放して、側端から排水口に向けて、下り勾配を設けた浴室の排水溝。
【請求項２】
請求項１記載の浴室の排水溝に付属する器具であって、排水溝の上端よりも高い位置に設置する取手付き目かくし板。
【請求項３】
請求項１記載の浴室の排水溝に付属する器具であって、排水口に設置する取手付き屑かごと、前記取手付き屑かごの取手部分に取り外し可能に吊持する取手付き掻き出し部材。
【請求項４】
請求項３記載の取手付き屑かごの内側に装着する取手（摘み）付きフィルタ。
【発明の詳細な説明】
【技術分野】
【０００１】  本発明は、清潔で衛生的な浴室の実現化を図った、排水に優れ、乾燥に優れ、清掃に優れる排水溝に関する。
【背景技術】
【０００２】  図４は従来一般の排水溝を示す。浴室床面１に立方体状等に沈む排水溝３が形成され、底部の排水口５に平形目皿６が設置される。段部４に平形目皿７、平形蓋８を載せ掛け、浴室床面１と水平面を保つよう設置される。【０００３】  浴室床面１から流下してくる排水は、平形目皿７の開口部（穴）７Ａで集水され、排水溝３に落下して一時的に貯水され、平形目皿６の開口部（穴）６Ａから下部のトラップ、排水管へ排水される。【０００４】  平形蓋８の場合は、外周部８Ａと縁部２との隙間で集水され、開口部８Ｂを抜けて排水溝３に落下する。後は前期と同様。
【発明の開示】
【発明が解決しようとする課題】
【０００５】  従来の排水溝３は集水に有効な開口部が狭く、許容量を超えた排水が浴室床面１に停滞したり、容量が小さい排水溝３の中で貯水された排水が対流して、浴室床面１に逆流して溢れ易い。このことから従来の排水溝は排水に劣る。【０００６】  従来の排水溝３は、上部を覆う平形目皿７、平形蓋８により、ほぼ密閉されており、換気されにくく常時湿潤な状態となり、雑菌の繁殖に適した場所となる。このことから従来の排水溝は乾燥に劣る。【０００７】  従来の排水溝３は、平形目皿６の開口部（穴）６Ａにせっけんかすや毛髪等が詰まり易く、平形目皿６、平形目皿７、平形蓋８の取り付け取り外しと、下部のトラップ内の各部品の着脱が容易ではない。このことから従来の排水溝は清掃に劣る。【０００８】  本発明は、前期課題を解決しようとするもので、排水に優れ、乾燥に優れ、清掃に優れる排水溝を備えた、清潔で、衛生的な浴室を提供することを目的とする。【０００９】  上記課題を解決するために、本発明の請求項１に係る浴室の排水溝は、集水に有効な開口部を広く確保して、外周を長く確保して、容量を大きく確保して、上方向に開放して、側端から排水口に向けて、下り勾配を設けたことを特徴とする。【００１０】  請求項１に係る浴室の排水溝によると、集水に有効な開口部を広く確保して、外周を長く確保して、容量を大きく確保して、上方向に開放しているので、浴室床面から流下してくる排水を確実に集水して、停滞させることなく排水できる。【００１１】  排水溝は全体として容量が有り、下り勾配としたので、速やかに排水口へ排水される。よって排水溝に一旦落水した排水は溢れにくく、浴室床面に逆流して広がり汚さない。【００１２】  バケツ等に水を溜め浸け置き洗いする場合、汚水を集中的に流し込める。よって浴室床面を汚さないので、常に清潔に保ち、衛生的にすることができる。【００１３】  開口部は広く、かつ開放されるので、空気が循環し易く短時間で乾燥する。【００１４】  請求項２に係る取手付き目かくし板は、浴室床面よりも、高い位置に設置されるので、浴室床面から流下してくる排水の集水を妨げない。【００１５】  取手付き目かくし板は、浴室床面よりも、高い位置に設置されるので、排水溝は密閉されておらず、空気が循環し易く短時間で乾燥する。【００１６】  目かくし板は取手が付いているので、取り付け取り外しが簡単にでき、手軽に楽々と清掃できる。【００１７】  請求項３に係る取手付き屑かごは、平形ではなく深さが有るので、排水はスムーズに落水される。せっけんかすや毛髪等の捕捉もし易く、フィルタ内に溜まったごみは、取手付き屑かごを引き上げ、付属の掻き出し部材を使って捨てられる。掻き出し部材はトラップ内のわん形蓋の着脱用具も兼ねる。
【発明の効果】
【００１８】  以上説明したように、本発明に係る浴室の排水溝は、集水に有効な開口部を広く確保して、外周を長く確保して、容量を大きく確保して、上方向に開放して、側端から排水口に向けて、下り勾配を設けて、取手付き目かくし板を浴室床面よりも高い位置に設置したので、排水し易く、乾燥し易く、清掃し易く、常に清潔に保ち、もって衛生的な浴室を得ることができる効果を奏する。【００１９】  目かくし板と屑かごと掻き出し部材に取手を付けたので、取り付け取り外しが簡単にでき、手軽に楽々と清掃できる。これにより常に清潔に保ち、もって衛生的な浴室を得ることができる効果を奏する。
【発明を実施するための最良の形態】
【００２０】  本発明の実施の形態を図１乃至図３、図５乃至６を参照して説明する。図１は本発明の実施形態を示す浴室の排水溝１１の平面図、図２は図１に示す浴室の排水溝１１の斜視図である。これらの図に示すように本実施形態の浴室の排水溝１１は、浴室床面９の縁部１０と接する長方形の範囲が開口部となっており、中央部に排水口１３を設けた構造とされている。中央部の排水口１３に屑かご１４が設置され、排水口１３の上部に床置き目かくし板１５が設置される。【００２１】  排水溝１１は開口部が広く、外周も長く、容量も大きく、上方向に開放しているので、浴室床面９から流下してくる排水の集水能力に優れており、更に側端の縁部１０から排水口１３に向けて、下り勾配としているのでスムーズに停滞することなく排水できる。【００２２】  バケツ等に水を溜めて浸け置き洗いする場合、洗った後の汚水は、容量の有る排水溝１３に集中的に流し込めるので、浴室床面９に汚水が溢れることなく排水できる。【００２３】  各寸法関係の例について説明する。排水溝１１は幅が４５ｃｍ、奥行が１５ｃｍ、深さが浴室床面９から排水口１３まで５ｃｍとなる。上部に設置する床置き目かくし板１５は幅が２０ｃｍ、奥行が１６ｃｍとなる。【００２４】  排水溝１１の配置場所について説明する。洗面器を載せる台が有る場合、その下部が邪魔にならず最適となる。洗面器を載せる台が無い場合でも、浴室床面９に洗面器を置いても、床置き目かくし板１５とはぶつかることなく使用できる。【００２５】  床置き目かくし板１５について説明する。排水溝１１の曲面くぼみ１２に、脚部１５Ｃを載せ置き設置する。排水口１３を見るための確認口１５Ｅが開口される。開口形状を工夫すればデザイン性もアップできる。脚部１５Ｃ間の開口部１５Ｄは、浴室床面９から流下してくる排水を集水するための開口である。結果として集水を妨げる部分は脚部１５Ｃだけとなる。【００２６】  目かくし曲面板１５Ｂの曲度は、円周を４等分した曲がりで良い。一枚のステンレス曲げ加工板とすると自体の水切れも良い。取手１５Ａが付いているので、簡単に取り外して移動できる。【００２７】  浴室床面９より高い位置に設置されるので、排水溝１１との空間で空気の循環が促進され、乾燥し易い構成となっている。【００２８】  図３に示す壁掛け目かくし板１６について説明する。図示はしないが浴室壁面に受け部を設け、壁掛け部１６Ｃを引っ掛け固定する。浴室床面９と接しないので集水阻害はゼロとなる。【００２９】  図示はしないが吊り下げ目かくし板について説明する。図５に示す結合方法で、屑かご１４の前方に吊り下げる。この場合も集水阻害はゼロとなる。【００３０】  屑かご１４について説明する。半球状の網かご１４Ｃの鍔１４Ｂの一部から取手１４Ａが立設する。網かご１４Ｃの内側には、取手付き使い捨てフィルタ１４Ｅを装着できる。その場合、再生資源で有る植物原料プラスチックや紙製品が好ましい。【００３１】  屑かご１４は取手１４Ａが付いているので、清掃する時は簡単に引き上げて移動できる。フィルタを捨てる時は図５に示す掻き出し部材１７で分離することができ、先端は円板形で、半球状の網かご１４Ｃにフィットする。屑かご１４は半球状で深さが有るので、せっけんかすや毛髪等の捕捉もし易い形状となっている。【００３２】  図５に示す掻き出し部材１７について説明する。屑かご１４の取手１４Ａの蟻溝１４Ｄに、掻き出し部材１７の取手１７Ａの蟻部１７Ｄが取り外し可能に吊持される。先端の掻き出し円板１７Ｂに小円孔１７Ｃが開口されている。【００３３】  掻き出し部材１７は、図６に示すトラップ内のわん形蓋１８の着脱も兼ねる。排水口１３の下部に位置するトラップ内のわん形蓋１８の上部の２枚の板状凸部１８Ｂの間に、掻き出し円板１７Ｂを差し込み回転させ、トラップ内側の上下２枚の翼片受け１８Ｄと、翼片１８Ａとを解除する。次に小円孔１７Ｃに小円柱凸部１８Ｃを引っ掛けて引き上げる。取り付けは前記と逆順の動作でする。以上のことから、ゴム手袋等使用せずに清掃できる構成と成っている。
【図面の簡単な説明】
【００３４】
【図１】本発明に係る浴室の排水溝の平面図
【図２】図１に示す浴室の排水溝の斜視図
【図３】壁掛け目かくし板の斜視図
【図４】従来一般の浴室の排水溝の斜視図
【図５】掻き出し部材の斜視図
【図６】トラップ内部のわん形蓋の斜視図
【符号の説明】
【００３５】１  浴室床面
２  縁部
３  排水溝
４  段部
５  排水口
６  平形目皿
６Ａ  開口部（穴）
７  平形目皿
７Ａ  開口部（穴）
８  平形蓋
８Ａ  外周部
８Ｂ  開口部
９  浴室床面
１０  縁部
１１  排水溝
１２  曲面くぼみ
１３  排水口
１４  屑かご
１４Ａ  取手
１４Ｂ  鍔
１４Ｃ  網かご
１４Ｄ  蟻溝
１４Ｅ  取手付き使い捨てフィルタ
１５  床置き目かくし板
１５Ａ  取手
１５Ｂ  目かくし曲面板
１５Ｃ  脚部
１５Ｄ  開口部
１５Ｅ  確認口
１６  壁掛け目かくし板
１６Ａ  取手
１６Ｂ  目かくし曲面板
１６Ｃ  壁掛け部
１６Ｄ  確認口
１７  掻き出し部材
１７Ａ  取手
１７Ｂ  掻き出し円板
１７Ｃ  小円孔
１７Ｄ  蟻部
１８  わん形蓋
１８Ａ  翼片
１８Ｂ  板状凸部
１８Ｃ  小円柱凸部
１８Ｄ  上下２枚の翼片受け
【図１】
2006348737.tif 000003
【図２】
2006348737.tif 000004
【図３】
2006348737.tif 000005
【図４】
2006348737.tif 000006
【図５】
2006348737.tif 000007
【図６】
2006348737.tif 000008